(57)【要約】【課題】電極線を引き出すパネル周縁部に備わっている前面基板及び後面基板の非重畳部を改良することにより，小形化・軽量化したプラズマディスプレイパネルを備えるプラズマディスプレイ装置を提供する。【解決手段】本発明のプラズマディスプレイ装置は，互いに対向配置されて封着される第１基板１２Ａと第２基板１２Ｂとを有するプラズマディスプレイパネル１２と，プラズマディスプレイパネル１２の一方の面と隣接して配置されるシャーシーベース１６と，シャーシーベース１６の他方の面に装着される駆動回路部とを含み，第１基板１２Ａと第２基板１２Ｂは，互いに重なる重畳領域１３Ｄと，各基板の周縁部の少なくとも一部で重ならない非重畳領域１３Ｘ，１３Ｙ，１３Ａを含み，少なくとも一対の非重畳領域１３Ｘ，１３Ｙがパネル１２の中心に対して非対称となるように形成される。【選択図】図２
2008116992.tif 000002
【特許請求の範囲】
【請求項１】
互いに対向配置されて封着される第１基板と第２基板との対向空間にプラズマ放電構造を有するプラズマディスプレイパネルと；
前記プラズマディスプレイパネルの一方の面と隣接して並んで配置されるシャーシーベースと；
前記シャーシーベースの他の面に装着されて前記プラズマディスプレイパネルと電気的に接続され，前記プラズマディスプレイパネルを駆動する駆動回路部と；
を含み，
前記第１基板と前記第２基板とは，それぞれ，互いに対向して重なる重畳領域と，各基板の周縁部の少なくとも一部において互いに重ならない非重畳領域とを含み，
前記プラズマディスプレイパネルの一辺と略平行方向に並んで形成される第１電極と第２電極とが，各々互いに異なる方向に引き出され，前記第１電極が引出される引出部側の非重畳領域と前記第２電極が引出される引出部側の非重畳領域が互いに反対側に位置し，
前記第１電極は，前記引出部近傍で互いに接続され，
前記第２電極の引出部が形成された非重畳領域の幅が，前記第１電極の引出部が形成された非重畳領域の幅より大きいことを特徴とする，プラズマディスプレイ装置。
【請求項２】
前記非対称になるように形成された前記一対の非重畳領域のそれぞれは，前記重畳領域の輪郭線から前記各基板の非重畳領域の輪郭線までの平均距離で定められる幅が互いに異なっていることを特徴とする，請求項１に記載のプラズマディスプレイ装置。
【請求項３】
前記第２電極が引き出される非重畳領域の幅と前記第１電極が引き出される非重畳領域の幅との差は，５〜３０ｍｍの範囲であることを特徴とする，請求項１に記載のプラズマディスプレイ装置。
【請求項４】
前記プラズマディスプレイパネルの任意の一つの輪郭線から前記アドレス電極が引き出され，
前記アドレス電極が引き出される非重畳領域の幅が，該非重畳領域に対向する非重畳領域の幅より大きいことを特徴とする，請求項１に記載のプラズマディスプレイ装置。
【請求項５】
前記アドレス電極が引き出される非重畳領域の幅と該非重畳領域に対向する非重畳領域の幅との差は，５〜３０ｍｍの範囲であることを特徴とする，請求項４に記載のプラズマディスプレイ装置。
【発明の詳細な説明】
【技術分野】
【０００１】
本発明は，プラズマディスプレイ装置に関し，より詳しくは，パネルを構成する前面基板及び後面基板のレイアウトを最適化して不必要な周縁部を除去し，軽量化したプラズマディスプレイ装置に関する。
【背景技術】
【０００２】
一般に，プラズマディスプレイパネル（ＰＤＰ：Ｐｌａｓｍａ  Ｄｉｓｐｌａｙ  Ｐａｎｅｌ）は，気体放電により得られたプラズマから放射される真空紫外線（ＶＵＶ：Ｖａｃｕｕｍ  Ｕｌｔｒａ  Ｖｉｏｌｅｔ）が蛍光体を励起させることで発生する赤（Ｒ），緑（Ｇ），青（Ｂ）の可視光を用いて，所定の映像を実現するディスプレイ素子である。このようなプラズマディスプレイパネルは，対角距離６０インチ以上の超大型画面を僅か１０ｃｍ以内の厚さで実現でき，機能的にも，ＣＲＴ（Ｃａｔｈｏｄｅ  Ｒａｙ  Ｔｕｂｅ）のような自発光ディスプレイ素子であるから，色再現力に優れ，視角による歪曲現象がないという長所を有している。また，ＬＣＤ（Ｌｉｑｕｉｄ  Ｃｒｙｓｔａｌ  Ｄｉｓｐｌａｙ）などに比べて製造工程が単純であり，生産性が高く原価が低廉であるため，ＴＶや産業用平板ディスプレイとして脚光を浴びている。
【０００３】
一般的なプラズマディスプレイ装置の構成は以下の通りである。
【０００４】
すなわち，アルミニウムなど熱伝導性が良い素材で堅固に製作されるシャーシーベースを中心にして，一方の面にはプラズマディスプレイパネルが装着され，他方の面にはプラズマディスプレイパネルを駆動するための各種信号を送信する駆動回路部が装着される。また，プラズマディスプレイパネルの前面側に前面カバーが配置され，駆動回路部の後側には背面カバーが配置され，互いに組み合わされて一組のプラズマディスプレイ装置を構成する。また，パネル本体は，前面及び後面の二枚の基板が，隙間（対向空間）を設けて対向しながら周縁部内側で封着（密封接着）される構造である。
【０００５】
このような状況で，パネル本体の重量が重いと，支持体であるシャーシーベースや輸送用梱包材に強度が要求されるため，ますます重くなるという問題がある。
【０００６】
また，観点を替えると，上記プラズマディスプレイパネルは，印加される駆動電圧の波形によって直流型と交流型とに区分され，放電セルの構造及び電極の形態によって対向放電型と面放電型とに区分できる。
【０００７】
このうち，現在最も広く採択されている面放電型交流プラズマディスプレイパネルでは，維持電極，走査電極及びアドレス電極が協働作業を行って放電セル内部でプラズマ放電を起こしながら画面表示を実現する。維持電極と走査電極とは，通常，パネルの左右側に各々引き出されて，ＦＰＣ（Ｆｌｅｘｉｂｌｅ  Ｐｒｉｎｔｅｄ  Ｃｉｒｃｕｉｔ）などのような電気的接続手段により，パネル後方に装着される駆動回路と接続される。また，アドレス電極は，パネルの上縁領域，下縁領域または上・下縁領域に各々引き出され，同様に，パネル後方に装着された駆動回路に接続される。
【０００８】
従って，二枚の基板のいずれかには，内側面の周縁部にＦＰＣと電気的に接続できるように各放電電極の引出部が形成され，反対側基板の対向部を少なくとも一部分除去して引出部を露出させている。このために前・後面基板は互いに異なる形状を有し，上下左右各々の周縁部に両基板が重ならない非重畳部（引出線形成部）がある。
【０００９】
従来，このようなパネルの非重畳部は，上下または左右の相互対称性があり，従って，重畳しない周縁部であっても，その幅が上下間同一，左右間も同一という形状を有していた。このような形状は，時に対称性維持以外の効果がなく，いたずらにパネル重量を増すだけということもあった。
【００１０】
一方，上記のような三電極面放電型プラズマディスプレイパネルでは，走査電極が，リセット放電及びアドレシング放電に関与するので，電極引出し線が１本ずつ分離されているが，維持電極は，全セル一括駆動の維持放電にだけ関与するので，全ての電極が引出部近くで接続されて引出し線が１本でも差し支えない構造である。従って，走査電極の引出部は，多数の引出し線を曲げながら配置できる広い幅の非重畳部が必要であるが，維持電極引出部には，それほど広い幅を確保しなくてもよい。また，アドレス電極は，デュアルスキャンならばパネルの上下周縁部に引出すが，シングルスキャンならば上周縁部または下周縁部にだけ引出されるので，電極を引出さない側の周縁部には，敢えて非重畳部を置く必要がなくなる。
【発明の開示】
【発明が解決しようとする課題】
【００１１】
そこで，本発明は，このような問題に鑑みてなされたもので，その目的は，電極線を引き出すパネル周縁部に備わっている前面基板及び後面基板の非重畳部をその役割に応じて非対称形状にすることにより，小形化・軽量化したプラズマディスプレイパネルを備えたプラズマディスプレイ装置を提供することにある。
【課題を解決するための手段】
【００１２】
上記課題を解決するために，本発明のある観点によれば，互いに対向配置されて封着される第１基板と第２基板との対向空間にプラズマ放電構造を有するプラズマディスプレイパネルと，このプラズマディスプレイパネルの一方の面と隣接して並んで配置されるシャーシーベースと，シャーシーベースの他の面に装着されてプラズマディスプレイパネルと電気的に接続され，これを駆動する駆動回路部とを含むプラズマディスプレイ装置が提供される。この場合において，プラズマディスプレイパネルを構成する第１基板と第２基板とは，それぞれ，互いに対向するように重なる重畳領域と，各基板の周縁部の少なくとも一部において互いに重ならない非重畳領域とを含み，プラズマディスプレイパネルの一辺と略平行方向に並んで形成される第１電極と第２電極とが，各々互いに異なる方向に引き出され，第１電極が引出される引出部側の非重畳領域と第２電極が引出される引出部側の非重畳領域が互いに反対側に位置し，第１電極は，引出部近傍で互いに接続され，第２電極の引出部が形成された非重畳領域の幅が，第１電極の引出部が形成された非重畳領域の幅より大きいことを特徴とする。
【００１３】
上記非対称になるように形成された一対の非重畳領域のそれぞれは，重畳領域の輪郭線から上記各基板の非重畳領域輪郭線までの平均距離で定められる幅が互いに異なるように形成されてもよい。
【００１４】
互いに非対称になるように形成された一対の非重畳領域は，重畳領域の輪郭線から各基板の輪郭線までの平均距離で定められる幅が互いに異なって形成されてもよい。
【００１５】
プラズマディスプレイパネルの一辺と略平行方向に並んで形成される第１電極と第２電極とが各々互いに異なる方向に引き出され，第１電極は，引出部近くで互いに接続されて形成され，この時，第２電極が引き出される非重畳領域の幅が，第１電極が引き出される非重畳領域の幅より大きく形成されることができる。
【００１６】
第２電極が引き出される非重畳領域の幅と第１電極が引き出される非重畳領域の幅との差は，５〜３０ｍｍの範囲内であるように形成することができる。
【００１７】
また，プラズマディスプレイパネルの任意の一つの輪郭線からアドレス電極が引き出され，アドレス電極が引き出される非重畳領域の幅が，該非重畳領域に対向する非重畳領域の幅より大きく形成されることができる。
【００１８】
アドレス電極が引き出される非重畳領域の幅と該非重畳領域に対向する非重畳領域の幅との差は，５〜３０ｍｍの範囲内となるように形成することができる。
【発明の効果】
【００１９】
以上説明したように，本発明に係るプラズマディスプレイ装置によれば，電極が引き出されるパネルの周縁部に備わる前面基板及び後面基板の非重畳部のうち，電極引出部を単純化することができる領域を減らしたり除去したりして非対称に形成することによって，装置を小形化することができる。
【００２０】
また，不必要な基板の周縁部を減らすことによって基板の材料費を低減でき，それにより生産性を向上させる効果がある。
【発明を実施するための最良の形態】
【００２１】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２２】
図１は，本発明の第１実施形態に係るプラズマディスプレイ装置を示した分解斜視図であり，図２は，同実施形態に係る前面基板及び後面基板の配置を概略的に示した説明図である。
【００２３】
図１に示されているように，本実施形態に係るプラズマディスプレイ装置は，基本的に，プラズマディスプレイパネル１２とシャーシーベース１６とを含む。シャーシーベース１６の一方の面にはプラズマディスプレイパネル１２が装着され，他方の面にはプラズマディスプレイパネル１２を駆動するための駆動回路部（図示せず）が装着される。シャーシーベース１６は，プラズマディスプレイパネル１２と実質的に並んで配置されながら装着される。プラズマディスプレイパネル１２の外側（ｘ軸正方向側）には前面カバー（図示せず）が設けられ，シャーシーベース１６の駆動回路部外側（ｘ軸負方向側）には背面カバー（図示せず）が設けられ，これらが組み合わされて一組のプラズマディスプレイ装置を構成する。
【００２４】
プラズマディスプレイパネル１２は，互いに対向配置されて封着される第１基板（以下，「前面基板」という）１２Ａと第２基板（以下，「後面基板」という）１２Ｂとの対向空間に，第１電極（以下，「維持電極」という）２１，第２電極（以下，「走査電極」という）２３及びアドレス電極２５を含むプラズマ放電構造を有する。維持電極２１と走査電極２３は，プラズマディスプレイパネル１２の一辺に沿って平行に並んだ方向（図面のｙ軸方向）に形成されて，各々互いに異なる方向に引き出される。また，アドレス電極２５は，維持電極２１及び走査電極２３と交差する方向（図面のｚ軸方向）に配列形成されて，通常，プラズマディスプレイパネル１２の上輪郭線または下輪郭線のいずれか一方から引き出されてもよく，上輪郭線及び下輪郭線の双方から引き出されてもよいが，本実施形態では下輪郭線から引き出される例を示した。
【００２５】
一方，プラズマディスプレイパネル１２の各放電セルを所望の形態で伝送された信号に表示するためには一定の順序によってこれらの各電極に駆動電圧を印加することが好ましい。この駆動電圧の印加は，時間による役割で大別すると，リセット期間／スキャン期間／（放電）維持期間に区分できる。ここで，リセット期間とは，全ての放電セルの壁電荷を均一な状態で生成する期間をいい，スキャン期間とは，表示しようとする放電セルを選択して放電を起こす期間をいい，（放電）維持期間とは，スキャン期間より選択された放電セルが持続的に放電しながら可視光で検出する期間をいう。
【００２６】
スキャン期間中は，走査電極２３に順次スキャン電圧が印加されながらアドレス電極２５との間で放電が起きて表示する放電セルを選択する（この時の放電を記録放電という）。そして，このように選択された放電セル内には壁電荷が集積され，以後の放電維持期間で維持電極２１と走査電極２３に放電維持パルスが交番して印加される際に表示放電を起こすようになる。
【００２７】
この時，維持電極２１は，放電維持期間にだけ関与する反面，走査電極２３は放電維持期間だけでなくリセット期間，スキャン期間などにも関与をするようになるので，維持電極２１，走査電極２３は，その役割と形状において互いに異なる場合がある。特に，維持電極２１は，放電維持期間にだけ関与する場合，それぞれの電極に共通の電圧を印加するので，図２に示したように，引出部近くで互いに接続されて形成され得る。
【００２８】
本実施形態では，以上のような電極構造を考慮してプラズマディスプレイパネル１２を前面基板１２Ａと後面基板１２Ｂの重ならない非重畳領域が非対称になるように形成する。すなわち，前面基板１２Ａと後面基板１２Ｂとは，互いに対向しながら重なる重畳領域１３Ｄと両基板の輪郭線が重なっていない非重畳領域１３Ｘ，１３Ｙ，１３Ａを有しており，これらの非重畳領域１３Ｘ，１３Ｙ，１３Ａは，パネルの中心を基準として互いに非対称になり，各非重畳領域１３Ｘ，１３Ｙ，１３Ａの幅は，互いに異なって形成される。ここで，非重畳領域１３Ｘ，１３Ｙ，１３Ａの幅は，重畳領域１３Ｄの輪郭線から各基板１２Ａ，１２Ｂの輪郭線までの平均距離と定義される。
【００２９】
より具体的には，走査電極２３が引き出される引出部側の非重畳領域１３Ｙの幅が，維持電極２１が引き出される引出部側の非重畳領域１３Ｘの幅より大きく形成され，アドレス電極２５が引き出される非重畳領域１３Ａの幅が，その反対側の非重畳領域の幅よりさらに大きく形成される。
【００３０】
走査電極２３が引き出される非重畳領域１３Ｙの幅は，維持電極２１が引き出される非重畳領域１３Ｘの幅より５〜３０ｍｍの範囲でさらに大きく形成されてもよい。
【００３１】
アドレス電極２５が引き出される非重畳領域１３Ａの幅とその反対側非重畳領域の幅の差は５〜３０ｍｍの範囲に属するように形成することができ，図２に示したように，アドレス電極２５が引き出される非重畳領域１３Ａの反対側で前面基板４２Ａの輪郭線と後面基板４２Ｂの輪郭線とが互いに一致してもよい。
【００３２】
図３は，本発明の第２実施形態に係るプラズマディスプレイ装置の前面基板及び後面基板の配置を示した説明図である。上記第１実施形態と同一の構成要素については同一の参照符号を使用した。
【００３３】
本実施形態でも，前面基板３２Ａと後面基板３２Ｂとは，互いに対向しながら重なる重畳領域３３Ｄと各基板の輪郭線が重ならない非重畳領域１３Ｘ，１３Ｙ，３３Ａ，３４Ａを有しており，これらの非重畳領域１３Ｘ，１３Ｙ，３３Ａ，３４Ａは，パネルの中心を基準として互いに非対称になり，各非重畳領域１３Ｘ，１３Ｙ，３３Ａ，３４Ａの幅が互いに異なって形成される。
【００３４】
すなわち，走査電極２３が引き出される引出部側の非重畳領域１３Ｙの幅は，第１実施形態と同様に，維持電極２１が引き出される引出部側の非重畳領域１３Ｘの幅より大きく形成される。しかし，アドレス電極３５ａ，３５ｂは，上下輪郭線の両方から引き出されているので，その非重畳領域３３Ａ，３４Ａの幅が同一に形成される。このような構成は，スキャン駆動を両方向で同時に進行できるデュアルスキャンモードで製造されるプラズマディスプレイパネルの場合に適用できる。
【００３５】
図４は，本発明の第３実施形態に係るプラズマディスプレイ装置の前面基板及び後面基板の配置を示した説明図である。前記第１実施形態と同一の構成要素については同一の参照符号を使用した。
【００３６】
本実施形態によれば，互いに対向配置されて封着される第１基板と第２基板の対向空間にプラズマ放電構造を有するプラズマディスプレイパネルと，このプラズマディスプレイパネルの一方の面と隣接して並んで配置されるシャーシーベースと；シャーシーベースの他方の面に装着されてプラズマディスプレイパネルと電気的に接続されることによりこれを駆動する駆動回路部とを含み，この時，プラズマディスプレイパネルを構成する第１基板と第２基板とは，少なくとも１ヶ所以上の輪郭線が互いに一致する形状を有するプラズマディスプレイ装置が提供される。
【００３７】
プラズマディスプレイパネルの任意の一つの輪郭線からアドレス電極が引き出され，アドレス電極が引き出される側に対向する側で，第１基板と第２基板の輪郭線が互いに一致する形状を有するように形成されてもよい。
【００３８】
本実施形態でも，前面基板４２Ａと後面基板４２Ｂとは，互いに対向しながら重なる重畳領域４３Ｄと各基板の輪郭線が重ならない非重畳領域１３Ａ，４３Ｘ，４３Ｙを有しており，これらの非重畳領域１３Ａ，４３Ｘ，４３Ｙは，パネルの中心を基準として互いに非対称になり，各非重畳領域１３Ａ，４３Ｘ，４３Ｙの幅が互いに異なって形成される。
【００３９】
特に，本実施形態では，アドレス電極２５が引き出される下輪郭線部の非重畳領域１３Ａと，その反対側が非対称をなすように前面基板４２Ａと後面基板４２Ｂを配置されている。図４に示したように，本実施形態の場合には，アドレス電極２５は，下輪郭線部のみから引き出されている。一方，第１実施形態とは違い，維持電極が引き出される非重畳領域４３Ｘと走査電極が引き出される非重畳領域４３Ｙとは対称をなしている。これは，維持電極が引出部近くで互いに接続されず，走査電極と同様に各電極に個別に互いに異なる駆動電圧が印加される場合に適用できる。
【００４０】
また，アドレス電極２５が引き出される非重畳領域１３Ａの幅とその反対側の非重畳領域の幅との差は，５〜３０ｍｍの範囲内になるように形成することができ，図４に示したように，アドレス電極２５が引き出される非重畳領域１３Ａの反対側で前面基板４２Ａと後面基板４２Ｂの輪郭線とが互いに一致してもよい。
【００４１】
以上，添付図面を参照しながら本発明の好適な実施形態について説明したが，本発明はかかる例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【図面の簡単な説明】
【００４２】
【図１】本発明の第１実施形態に係るプラズマディスプレイ装置の概略的な構成を示した分解斜視図である。
【図２】本発明の第１実施形態に係るプラズマディスプレイ装置の前面基板及び後面基板の配置を概略的に示した説明図である。
【図３】本発明の第２実施形態に係るプラズマディスプレイ装置の前面基板及び後面基板の配置を概略的に示した説明図である。
【図４】本発明の第３実施形態に係るプラズマディスプレイ装置の前面基板及び後面基板の配置を概略的に示した説明図である。
【符号の説明】
【００４３】
１２      プラズマディスプレイ装置
１６      シャーシーベース
２１      維持電極
２３      走査電極
２５      アドレス電極
【図１】
2008116992.tif 000003
【図２】
2008116992.tif 000004
【図３】
2008116992.tif 000005
【図４】
2008116992.tif 000006
【手続補正書】
【提出日】平成20年3月7日(2008.3.7)
【手続補正１】
【補正対象書類名】特許請求の範囲
【補正対象項目名】全文
【補正方法】変更
【補正の内容】
【特許請求の範囲】
【請求項１】
互いに対向配置される第１基板及び第２基板と，前記第１基板と前記第２基板との間に位置してプラズマ放電に関与するアドレス電極と，第１電極及び第２電極と，を含むプラズマディスプレイパネルと；
前記プラズマディスプレイパネルの一方の面と隣接して並んで配置されるシャーシーベースと；
前記シャーシーベースの他の面に装着されて前記プラズマディスプレイパネルと電気的に接続され，前記プラズマディスプレイパネルを駆動する駆動回路部と；
を含み，
前記第１基板は，前記第２基板と平面上で重なる部分である重畳領域と，前記第２基板と重ならずに前記重畳領域を間において互いに反対側に位置する第１非重畳領域及び第２非重畳領域と，を含み，
前記第１非重畳領域には，前記駆動回路との電気的接続のために前記第１電極が第１ＦＰＣに接続される部分である第１引出部が形成され，
前記第２非重畳領域には，前記駆動回路との電気的接続のために前記第２電極が第２ＦＰＣに接続される部分である第２引出部が形成され，
前記第１電極は，前記第１非重畳領域で互いに接続され，前記第２電極は，前記第２非重畳領域で互いに離隔して形成され，
前記第１非重畳領域の幅が前記第２非重畳領域の幅より小さいことを特徴とする，プラズマディスプレイ装置。
【請求項２】
前記第１電極は，前記重畳領域と前記第１非重畳領域にのみ位置することを特徴とする，請求項１に記載のプラズマディスプレイ装置。
【請求項３】
前記第１引出部は，前記第２非重畳領域には形成されないことを特徴とする，請求項１に記載のプラズマディスプレイ装置。
【請求項４】
前記第１非重畳領域の幅と前記第２非重畳領域の幅との差は，５〜３０ｍｍの範囲であることを特徴とする，請求項１に記載のプラズマディスプレイ装置。
【請求項５】
前記第１電極は維持電極であり，前記第２電極は走査電極であることを特徴とする，請求項１に記載のプラズマディスプレイ装置。